(57)【特許請求の範囲】
【請求項１】
少なくとも１つの中継機に縦続接続された無線アクセスポイント装置であって、
自装置および前記中継機からの所定信号にもとづいて自装置に帰属している無線端末の受信レベル情報を取得し、前記受信レベル情報が所定の受信レベル閾値未満である無線端末の帰属を外し、前記帰属を外された帰属外無線端末が、前記外された帰属である元帰属に係る所定信号の発信元でなかった自装置または前記中継機のいずれかからの所定信号にもとづいて自装置に正常に帰属しない場合に、前記帰属外無線端末を前記元帰属に係る所定信号の発信元であった自装置または前記中継機からの所定信号にもとづいて自装置に帰属させる制御手段と
を備えることを特徴とする無線アクセスポイント装置。
【請求項２】
前記受信レベル情報が前記閾値未満である無線端末からの通信信号をモニタするモニタ手段
をさらに備え、
前記制御手段は、所定時間内で前記通信信号がない場合に、前記無線端末の帰属を外すことを行う
ことを特徴とする請求項１に記載の無線アクセスポイント装置。
【請求項３】
制御手段で、無線アクセスポイント装置および前記装置に縦続接続された少なくとも１つの中継機からの所定信号にもとづいて前記装置に帰属している無線端末の受信レベル情報を取得し、前記受信レベル情報が所定の受信レベル閾値未満である無線端末の帰属を外し、前記帰属を外された帰属外無線端末が、前記外された帰属である元帰属に係る所定信号の発信元でなかった前記装置または前記中継機のいずれかからの所定信号にもとづいて前記装置に正常に帰属しない場合に、前記帰属外無線端末を前記元帰属に係る所定信号の発信元であった前記装置または前記中継機からの所定信号にもとづいて前記装置に帰属させる制御工程
を備えることを特徴とする無線アクセスポイント装置の制御方法。
【請求項４】
モニタ手段で、前記受信レベル情報が前記閾値未満である無線端末からの通信信号をモニタするモニタ工程
をさらに備え、
前記制御工程は、所定時間内で前記通信信号がない場合に、前記無線端末の帰属を外すことを行う
ことを特徴とする請求項３に記載の無線アクセスポイント装置の制御方法。
【請求項５】
無線アクセスポイント装置を構成するコンピュータに、
前記装置および前記装置に縦続接続された少なくとも１つの中継機からの所定信号にもとづいて前記装置に帰属している無線端末の受信レベル情報を取得し、前記受信レベル情報が所定の受信レベル閾値未満である無線端末の帰属を外し、前記帰属を外された帰属外無線端末が、前記外された帰属である元帰属に係る所定信号の発信元でなかった前記装置または前記中継機のいずれかからの所定信号にもとづいて前記装置に正常に帰属しない場合に、前記帰属外無線端末を前記元帰属に係る所定信号の発信元であった前記自装置または前記中継機からの所定信号で前記装置に帰属させる制御処理
を実行させることを特徴とする無線アクセスポイント装置のプログラム。
【請求項６】
前記受信レベル情報が前記閾値未満である無線端末からの通信信号をモニタするモニタ処理
をさらに備え、
前記制御処理は、所定時間内で前記通信信号がない場合に、前記無線端末の帰属を外すことを行う
ことを特徴とする請求項５に記載の無線アクセスポイント装置のプログラム。
【発明の詳細な説明】
【技術分野】
【０００１】
本発明は、無線アクセスポイント装置および制御方法に関する。
【背景技術】
【０００２】
無線ネットワークを含む通信システムにおいて、無線端末装置が、接続しているアクセスポイントとは異なるアクセスポイントにハンドオーバするようにする技術が特許文献１に記載されている。
【０００３】
すなわち、特許文献１に記載の無線端末装置は、図１を参照して、次の通りである。設定情報メモリ０１が、ネットワークの識別情報を含む、アクセスポイントへの接続に用いられる設定情報をアクセスポイント毎に記憶している。端末状態管理部０２が、自装置の動作状態を管理する。接続中のアクセスポイントからの信号の受信レベルが既定値以下になったとき、無線接続情報管理部０３が、設定情報メモリ０１に記憶されている設定情報から変更先の候補のアクセスポイントの設定情報を取得し、ハンドオーバを行う。その際、端末状態管理部０２で管理されている自装置の動作状態が待ち受け状態以外の場合には、現在用いられている設定情報と同じネットワークの識別情報を含む設定情報を有するアクセスポイントへの変更のみを行う。
【０００４】
この技術では、接続中のアクセスポイントからの信号の受信レベルが既定値以下になったとき、無線接続情報管理部０３が、設定情報メモリ０１に記憶されている設定情報から変更先の候補のアクセスポイントの設定情報を取得し、ハンドオーバを行う。このため、無線ネットワークを含む通信システムにおいて、無線端末装置が、接続しているアクセスポイントとは異なるアクセスポイントにハンドオーバするようにすることが可能となる。
【先行技術文献】
【特許文献】
【０００５】
【特許文献１】特開２０１２−０７０２９６号公報
【発明の概要】
【発明が解決しようとする課題】
【０００６】
特許文献１に記載の技術により、無線ネットワークを含む通信システムにおいて、無線端末装置が、接続しているアクセスポイントとは異なるアクセスポイントにハンドオーバするようにすることが可能となる。
【０００７】
ところで、無線ＬＡＮ（Local Area Network）アクセスポイントとこれに接続する無線端末において、無線ＬＡＮアクセスポイントはＳＳＩＤ（Service Set Identifier）やＭＡＣ（Media Access Control）アドレスなどの情報を含む無線信号であるビーコンを発信する。無線端末は無線ＬＡＮアクセスポイントからのビーコンを受信して、ビーコンに含まれているＳＳＩＤが自端末に登録されているＳＳＩＤと同じであるとビーコン発信元の無線ＬＡＮアクセスポイントに帰属する。
【０００８】
その際、無線ＬＡＮアクセスポイントと無線端末との間に相当な距離があったり、障害物があったりすると、無線ＬＡＮアクセスポイントからの電波が十分に無線端末に届かず、無線端末における電波強度が弱くなることがある。そのような場合のために、電波強度を補うように無線中継機が用いられる。
【０００９】
図２を参照すると、ブロードバンド回線にブロードバンドルータ１が接続され、ブロードバンドルータ１に無線ＬＡＮアクセスポイント２が接続され、無線ＬＡＮアクセスポイント２に無線端末３、無線端末４、無線端末５が帰属している。各無線端末は無線ＬＡＮアクセスポイント２に対してそれぞれ異なる位置にある。無線端末３は無線ＬＡＮアクセスポイント２に対して近い位置にあり、無線端末３における電波強度が強い。無線端末４は無線ＬＡＮアクセスポイント２に対して壁（障害物）を挟んだ位置にあり、無線端末４における電波強度が中程度である。無線端末５は無線ＬＡＮアクセスポイント２に対して壁を挟んだ遠い位置にあり、無線端末５における電波強度が弱い。
【００１０】
このような場合のために、図３に示すように無線ＬＡＮアクセスポイント２からの電波の中継のため、無線中継機６を無線端末４、無線端末５に近い位置に設置する。これにより、無線端末４、無線端末５における電波強度が強くなる。このため、無線端末４、無線端末５を無線中継機６に帰属させれば、それらの無線端末はより良好な通信環境で通信を行うことが可能となる。
【００１１】
ここで、図４を参照して、無線ＬＡＮアクセスポイント２に帰属している無線端末３が無線中継機６の近くに移動した場合、無線端末３における無線中継機６からの電波強度が無線ＬＡＮアクセスポイント２からのそれより強くなる。そこで、無線端末３を無線中継機３に帰属させれば、より良好な通信環境で通信を行うことが可能となる。しかしながら、一般的な無線端末である無線端末３は無線ＬＡＮアクセスポイント２への帰属を保持する。その際、特許文献１に記載の技術を用いれば、無線端末３に無線ＬＡＮアクセスポイント２および無線中継機６からの電波の受信レベルを検知させるようにすることが可能である。このため、無線端末３に受信レベルの低い無線ＬＡＮアクセスポイント２から受信レベルの高い無線中継機６へのハンドオーバを行わせることが可能となるようにも思われる。ところが、そのためには、無線端末３に受信レベルをモニタしてハンドオーバを行うための回路やプログラムを追加する必要があり、無線端末３の処理負荷ひいては消費電力が増加する。消費電力の増加はバッテリで動作する無線端末にとって使用可能時間に関わる問題である。
【００１２】
つまり、無線アクセスポイントに帰属している無線端末が無線中継機の近く（エリア）に移動した際に無線端末の帰属のハンドオーバを行うためには、特許文献１に記載の技術では、無線端末に消費電力の増加につながる回路やプログラムを追加する必要があることが課題である。
【００１３】
本発明の目的は、上記課題を解決する無線アクセスポイント装置および制御方法を提供することである。
【課題を解決するための手段】
【００１４】
本発明の無線アクセスポイント装置は、自装置に縦続接続された少なくとも１つの中継手段と、自装置および前記中継手段からの所定信号にもとづいて自装置に帰属している無線端末の受信レベル情報を取得し、前記受信レベル情報が所定の受信レベル閾値未満である無線端末の帰属を外し、前記帰属を外された帰属外無線端末が、前記外された帰属である元帰属に係る所定信号の発信元でなかった自装置または前記中継手段のいずれかからの所定信号にもとづいて自装置に正常に帰属しない場合に、前記帰属外無線端末を前記元帰属に係る所定信号の発信元であった自装置または中継手段からの所定信号にもとづいて自装置に帰属させる制御手段とを備えることを特徴とする。
【００１５】
本発明の無線アクセスポイント装置の制御方法は、制御手段で、無線アクセスポイント装置および前記装置に縦続接続された少なくとも１つの中継手段からの所定信号にもとづいて前記装置に帰属している無線端末の受信レベル情報を取得し、前記受信レベル情報が所定の受信レベル閾値未満である無線端末の帰属を外し、前記帰属を外された帰属外無線端末が、前記外された帰属である元帰属に係る所定信号の発信元でなかった前記装置または前記中継手段のいずれかからの所定信号にもとづいて前記装置に正常に帰属しない場合に、前記帰属外無線端末を前記元帰属に係る所定信号の発信元であった前記装置または中継手段からの所定信号にもとづいて前記装置に帰属させる制御工程を備えることを特徴とする。
【発明の効果】
【００１６】
本発明によれば、無線端末に消費電力の増加につながる回路やプログラムを追加することなく、無線アクセスポイントと無線中継機との間で無線端末のエリア移動の際に帰属のハンドオーバを行うことが可能となる。
【図面の簡単な説明】
【００１７】
【図１】無線端末装置の構成を示す図である。
【図２】無線ＬＡＮシステムの構成を示す図である。
【図３】無線ＬＡＮシステムの構成を示す図である。
【図４】無線ＬＡＮシステムにおける無線端末の移動について説明する図である。
【図５】第１の実施形態における無線ＬＡＮシステムの構成例を示す図である。
【図６】第１の実施形態における無線アクセスポイントの構成例を示すブロック図である。
【図７】第１の実施形態における無線ＬＡＮシステムの動作例を示すフローチャートである。
【図８】第２の実施形態における無線アクセスポイント装置の構成例を示すブロック図である。
【発明を実施するための形態】
【００１８】
本発明の第１の実施形態について、図面を参照して説明する。
【００１９】
図５に、本実施形態における無線ＬＡＮシステムの構成例を示す。本無線ＬＡＮシステムは、ブロードバンドモデム１０、無線アクセスポイント２０、中継機３０、無線端末４０、５０を含む。ブロードバンドモデム１０はブロードバンド回線に接続し、無線アクセスポイント２０はブロードバンドモデム１０に接続し、中継機３０は無線アクセスポイント２０に接続している。無線端末４０、５０は無線アクセスポイント２０に、あるいは中継機３０を介して無線アクセスポイント２０に帰属可能である。
【００２０】
ブロードバンドモデム１０は、例えば、ＡＤＳＬ（Asymmetric Digital Subscriber Line）モデムで、ブロードバンド回線と無線アクセスポイント２０との接続を行う。
【００２１】
無線アクセスポイント２０は、無線ＬＡＮで無線端末との接続を行う。
【００２２】
中継機３０は、無線アクセスポイント２０の無線ＬＡＮの中継を行う。中継機３０で使用されるＳＳＩＤや暗号化キーは無線アクセスポイント２０のものと同一である。
【００２３】
無線端末４０、５０は、ＰＣ（Personal Computer）、スマートフォンなどである。
【００２４】
無線アクセスポイント２０と中継機３０とは、一般的に、安定的な通信が可能な５ＧＨｚ帯で接続される。
【００２５】
図６に、無線アクセスポイント２０の構成例を示す。無線アクセスポイント２０は、制御部２１、記憶部２２、モニタ部２３を備える。
【００２６】
制御部２１は、無線端末や無線アクセスポイント２０の制御を行う。
【００２７】
記憶部２２は、受信感度閾値や無線端末情報などの記憶を行う。
【００２８】
モニタ部２３は、無線端末の通信状態のモニタを行う。
【００２９】
上記の構成例を踏まえ、本実施形態における無線ＬＡＮシステムの動作について、図７を参照して説明する。図７は本実施形態における無線ＬＡＮシステムの動作例を示すフローチャートである。
【００３０】
無線アクセスポイント２０において、ユーザによる起動後、制御部２１が、自装置に帰属（接続）中の無線端末（４０、５０）を確認する（Ｓ７０１）。ここでは、無線端末４０が直接（無線アクセスポイント２０からのビーコンにもとづいて）無線アクセスポイント２０に帰属中で、無線端末５０が中継機３０を介して（中継機３０からのビーコンにもとづいて）無線アクセスポイント２０に帰属中である。無線アクセスポイント２０は、例えば、無線端末のＭＡＣアドレスで、直接または中継機３０を介して、自身に帰属している無線端末を認識する。なお、無線アクセスポイント２０は自身に接続されている中継機３０をあたかも自身の一部として認識する。すなわち、中継機３０は自身を介して無線アクセスポイント２０に帰属している無線端末の認識信号（ＭＡＣアドレス等を含む）を随時無線アクセスポイント２０に送信し、無線アクセスポイント２０はその信号から中継機３０を介して自身に帰属している無線端末を認識する。
【００３１】
次に、制御部２１は帰属中の無線端末４０、５０の受信レベルの情報を取得し（Ｓ７０２）、所定の閾値と比較する（Ｓ７０３）。受信レベル情報の取得は、制御部２１が受信レベルのリクエストコマンドを無線端末４０、５０へ発行して行われる。なお、無線端末５０へのリクエストコマンドの発行は中継機３０を介して行われる。閾値は、あらかじめ記憶部２２に入力され、記憶されており、例えば、無線アクセスポイント２０や中継機３０のエリアの境界付近における受信レベルとする。受信レベルが閾値以上の場合（Ｓ７０３でＹｅｓ）には、制御部２１は該無線端末の帰属を保持し（Ｓ７０４）、一連の処理が終了する。受信レベルが閾値未満の場合（Ｓ７０３でＮｏ）には、モニタ部２３が該無線端末からデータや音声などの通信信号をモニタして（Ｓ７０５）、所定時間内で通信信号がない場合（Ｓ７０５でＮｏ）には、制御部２１が該無線端末の帰属を外す（Ｓ７０６）。すなわち、制御部２１が該無線端末への該帰属の許可を示す信号の送信を停止する。所定時間内で通信信号がある場合（Ｓ７０５でＹｅｓ）には、一連の処理が終了する。
【００３２】
該無線端末の帰属を外した（Ｓ７０６）後、制御部２１は、該無線端末が、元の帰属に係るビーコンの発信元でなかった無線アクセスポイント２０または中継機３０のいずれかからのビーコンにもとづいて自装置に正常に帰属するかを確認する（Ｓ７０７）。すなわち、制御部２１は該無線端末からその無線アクセスポイント２０あるいは中継機３０に送信されるアソシエーション要求信号に対してアソシエーション応答が完了するかを確認する。該無線端末が正常に帰属しない場合（Ｓ７０７でＮｏ）には、制御部２１は該無線端末の元の帰属を復帰させる（Ｓ７０８）。すなわち、制御部２１は該無線端末から元の帰属に係るビーコンの発信元である無線アクセスポイント２０または中継機３０に送信されるアソシエーション要求を再許可して復帰させる。該無線端末が正常に帰属する場合（Ｓ７０７でＹｅｓ）には、一連の処理が終了する。
【００３３】
なお、一般的に、無線端末は、無線アクセスポイントまたは中継機のビーコンにもとづいて無線アクセスポイントに（再）帰属する（認証、アソシエーション要求などを行う）際、電波強度の強い方でそれを行う。
【００３４】
上記のフローにおいて、無線アクセスポイント２０に帰属している無線端末４０が無線端末５０の位置に移動した場合について説明する。なお、簡単のため、無線端末４０の位置における無線アクセスポイント２０に対する受信レベル、無線端末５０の位置における中継機３０に対する受信レベルは閾値以上であるとする。また、無線端末４０の位置における中継機３０に対する受信レベル、無線端末５０の位置における無線アクセスポイント２０に対する受信レベルは閾値未満であるとする。さらに、無線端末４０は無線端末５０の位置に移動後、所定時間内で通信を行わず、無線端末５０の位置で中継機３０に正常に帰属することが可能であるとする。
【００３５】
すなわち、無線端末４０が無線アクセスポイント２０に帰属した後、無線端末５０の位置に移動する。Ｓ７０１で、無線アクセスポイント２０において、制御部２１が、自装置に帰属中の無線端末４０を確認する。Ｓ７０２で、制御部２１は帰属中の無線端末４０の受信レベルの情報を取得し、Ｓ７０３で、所定の閾値と比較する。受信レベルが閾値未満（Ｓ７０３でＮｏ）となり、Ｓ７０５で、モニタ部２３が無線端末４０からの通信信号をモニタする。所定時間内で通信信号がなく（Ｓ７０５でＮｏ）、Ｓ７０６で、制御部２１が無線端末４０の帰属を外す。Ｓ７０７で、制御部２１は無線端末４０が中継機３０を介して無線アクセスポイント２０に正常に帰属するかを確認する。無線端末４０が正常に帰属し（Ｓ７０７でＹｅｓ）、処理が終了する。
【００３６】
なお、中継機３０を介して無線アクセスポイント２０に帰属している無線端末５０が無線端末４０の位置に移動した場合についても同様である。また、Ｓ７０５で、所定時間内で通信がある場合には、無線端末の帰属が保持されるため、無線端末の通信が切断されない。本実施例では中継機を１台無線アクセスポイントに接続しているが、複数台縦続（カスケード形式で）接続してもよい。
【００３７】
以上のように、無線アクセスポイントに帰属している無線端末が中継機の近く（エリア）に移動した際、無線アクセスポイントが無線端末の帰属を外すことにより、無線端末が電波強度のより強い中継機を介して無線アクセスポイントに帰属する。
【００３８】
なお、無線アクセスポイントに帰属している無線端末が中継機のエリアではない無線アクセスポイントエリアの境界付近に移動した際にも、受信レベルが閾値未満となって、無線アクセスポイントが無線端末の帰属を外すことがある。その場合、無線端末は中継機に対する受信レベルが足りなければ中継機を介して無線アクセスポイントに正常に帰属できず、直接、無線アクセスポイントに再帰属する。
【００３９】
このように、無線端末に消費電力の増加につながる回路やプログラムを追加することなく、無線アクセスポイントと無線中継機との間で無線端末のエリア移動の際に帰属のハンドオーバを行うことが可能となる。
【００４０】
本発明の第２の実施形態について、図面を参照して説明する。
【００４１】
図８に、本実施形態における無線アクセスポイント装置の構成例を示す。無線アクセスポイント装置１００は、中継機１０１、制御部１０２を備える。
【００４２】
中継機１０１は、ｎ（自然数）個あり、無線アクセスポイント装置１００に縦続接続されている。
【００４３】
制御部１０２は、無線端末や無線アクセスポイント装置１００の制御を行う。
【００４４】
上記の構成例を踏まえ、本実施形態における無線アクセスポイント装置の動作例について説明する。
【００４５】
無線アクセスポイント装置１００において、ユーザによる起動後、制御部１０２が、自装置および中継機１０１からの所定信号（ビーコン）にもとづいて自装置に帰属している無線端末の受信レベル情報を取得する。制御部１０２は受信レベル情報が所定の受信レベル閾値未満である無線端末の帰属を外す。次に、制御部１０２は、該無線端末が、元の帰属に係る所定信号の発信元でなかった自装置または中継機１０１のいずれかからの所定信号にもとづいて自装置に正常に帰属するかを確認する。正常な帰属がない場合に、制御部１０２は、該無線端末を、元の帰属に係る所定信号の発信元であった自装置または中継機１０１からの所定信号にもとづいて自装置に帰属させる。
【００４６】
以上により、無線アクセスポイント・中継機からの所定信号（ビーコン）にもとづいて無線アクセスポイントに帰属している無線端末が他の無線アクセスポイント・中継機の近く（エリア）に移動した際、無線アクセスポイントが無線端末の帰属を外す。これにより、無線端末が他の無線アクセスポイント・中継機からの所定信号にもとづいて無線アクセスポイントに帰属する。
【００４７】
このように、無線端末に消費電力の増加につながる回路やプログラムを追加することなく、無線アクセスポイントと無線中継機との間で無線端末のエリア移動の際に帰属のハンドオーバを行うことが可能となる。
【００４８】
なお、以上の実施形態において、係る動作処理を実行させるためのプログラムを、ＣＤ−ＲＯＭ、ＭＯなどのコンピュータ読取可能な記録媒体に格納して配布し、該プログラムをコンピュータにインストールすることにより、該動作処理を実行する装置を構成してもよい。ＣＤ−ＲＯＭはCompact Disk Read-Only Memoryの略称で、ＭＯはMagneto-Optical diskの略称である。
【産業上の利用可能性】
【００４９】
本発明は、無線アクセスポイント装置および制御方法に利用可能である。
【符号の説明】
【００５０】
１０    ブロードバンドモデム
２０    無線アクセスポイント
２１、１０２    制御部
２２、    記憶部
２３    モニタ部
３０、１０１    中継機
４０、５０    無線端末
１００    無線アクセスポイント装置
【図１】
0006510345.tif 000002
【図２】
0006510345.tif 000003
【図３】
0006510345.tif 000004
【図４】
0006510345.tif 000005
【図５】
0006510345.tif 000006
【図６】
0006510345.tif 000007
【図７】
0006510345.tif 000008
【図８】
0006510345.tif 000009